(57)【要約】【課題】中折れした記録材が像担持体に貼り付いた状態で搬送されるのを抑制する。【解決手段】二次転写部２０の下流側に、突入防止部７０を設ける。突入防止部７０は、中間転写ベルト１５の両側部に設けられたブラケット７１と、両端がそれぞれブラケット７１に取り付けられた基部７２と、基部７２の上面に配設された反射型のＰＯＢセンサ７３と、基部７２の先端部に取り付けられた軸７４と、この軸７４に揺動自在に取り付けられたストッパ７５（７５ａ〜７５ｃ）とを備えている。ストッパ７５は、用紙Ｐの中折れ部Ｐｂにより持ち上げられることにより揺動して中間転写ベルト１５に当接し、中間転写ベルト１５に貼り付いた用紙Ｐの移動を妨げる。【選択図】      図４
2004252317.tif 000002
【特許請求の範囲】
【請求項１】
回動可能に配設される像担持体と、
前記像担持体に対向配置され、当該像担持体上のトナー像を記録材に静電転写する転写部材と、
前記像担持体と前記転写部材との対向部より当該像担持体の移動方向下流側に配設され、通常時は当該像担持体から離間した位置で保持され、当該対向部を通過した前記記録材によって押圧された場合は前記像担持体に当接する位置まで揺動可能な揺動部材と
を有する画像形成装置。
【請求項２】
前記揺動部材は、所定の厚さを有する金属又は樹脂からなることを特徴とする請求項１記載の画像形成装置。
【請求項３】
前記揺動部材の前記像担持体に当接する部位は、所定の曲率を有していることを特徴とする請求項１記載の画像形成装置。
【請求項４】
前記揺動部材の自由端側には、回転可能なロール部材を設けることを特徴とする請求項１記載の画像形成装置。
【請求項５】
前記揺動部材には、当該像担持体表面から落下した粉体を受ける粉体溜めを設けることを特徴とする請求項１記載の画像形成装置。
【請求項６】
前記像担持体は、像形成担持体に形成担持されたトナー像が一次転写される中間転写ベルトであり、
前記転写部材は、前記中間転写ベルトに一次転写されたトナー像を前記記録材に二次転写して搬送する転写搬送ベルトであること
を特徴とする請求項１記載の画像形成装置。
【請求項７】
回転可能に配設される像担持体と、
前記像担持体に対向配置され、当該像担持体上のトナー像を記録材に静電転写する転写部材と、
前記像担持体と前記転写部材との対向部より当該像担持体の移動方向下流側で、当該移動方向と直交する方向に延設される軸部材と、
一端が前記軸部材に揺動自在に取り付けられ、他端が前記像担持体の移動方向に対向する方向に向けて配置される板状部材と
を含む画像形成装置。
【請求項８】
前記板状部材を前記像担持体から離間する方向に向けて付勢する付勢部材をさらに備えることを特徴とする請求項７記載の画像形成装置。
【請求項９】
前記板状部材に前記トナー像を構成するトナーと同極性のバイアスを印加するバイアス印加機構をさらに備えることを特徴とする請求項７記載の画像形成装置。
【請求項１０】
前記像担持体は複数のロールに張架された無端ベルト形状を有し、
前記転写部材は複数のロールに張架された無端ベルト形状を有していること
を特徴とする請求項７記載の画像形成装置。
【発明の詳細な説明】
【０００１】
【発明の属する技術分野】
本発明は、電子写真複写機等の画像形成装置に係り、特に、像担持体に形成されたトナー像を記録材に静電転写する画像形成装置に関する。
【０００２】
【従来の技術】
従来における画像形成装置として、トナー像が形成担持される像担持体（例えば感光体ドラム）を備えた複数の画像形成ユニットを並列配置すると共に、各画像形成ユニットの配列方向に沿って循環移動する中間転写ベルトを配設し、各画像形成ユニットで形成された各色成分（例えばイエロー、マゼンタ、シアン、ブラック）画像を一次転写装置で中間転写ベルトに順次一次転写した後、中間転写ベルト上に重ね合わされた重ね画像を二次転写装置で用紙に一括転写（二次転写）し、用紙に二次転写された画像を定着装置で定着させるようにしたものが知られている。ここで、二次転写装置としては、例えば中間転写ベルトのトナー像担持面に二次転写ロールを圧接配置すると共に、二次転写ロールと対向する中間転写ベルトの裏面側にはバックアップロールを配設し、二次転写ロールおよびバックアップロールの間に、中間転写ベルト上のトナーが用紙上に転移する転写電界を形成するための二次転写バイアスを印加するようにしたものが一般的である。
【０００３】
また、この種の画像形成装置では、二次転写後の中間転写ベルトへの用紙の貼り付きを検知する反射型センサを設置し、中間転写ベルトに対する用紙の貼り付きを検知した場合に画像形成装置の動作を停止させるようにしたものが提案されている（特許文献１参照）。
さらに、特許文献１に記載の技術を応用して、イエロートナーを用いた場合の用紙検知性能を向上させるために、用紙の先端部が反射型センサとの対向部に突入する直前のタイミングで検知を開始し、用紙の先端部が反射型センサとの対向部を通過した直後のタイミングで検知を終了することが有効である。
【０００４】
【特許文献１】
特開２０００−１６２８９２号公報
【０００５】
【発明が解決しようとする課題】
しかしながら、上述した用紙先端部で検知を行う手法は、用紙が搬送方向の先端から中間転写ベルトに貼り付くという事態を主として想定したものである。このため、用紙が搬送方向の中程から中間転写ベルトに貼り付くような場合には用紙が中間転写ベルトに貼り付いたことを検知できない。すると、中折れした状態で中間転写ベルトに貼り付いた用紙が中間転写ベルトのクリーナに突入し、クリーニング不良およびこれに伴う画像形成不良を招いてしまうことになる。
【０００６】
本発明は、以上の技術的課題を解決するためになされたものであって、その目的とするところは、中折れした記録材が像担持体に貼り付いた状態で搬送されるのを抑制することにある。
本発明の他の目的は、像担持体を傷つけることなく、像担持体に貼り付いた記録材の取り外しを可能とすることにある。
【０００７】
【課題を解決するための手段】
本発明では、中折れした記録材によって押圧された場合に中間転写ベルト等の像担持体に当接する揺動部材を設けることで、像担持体に貼り付いた記録材を像担持体と揺動部材との当接部でせき止め、この当接部より像担持体の移動方向下流側には搬送されないようにすることを提案する。
すなわち、本発明の画像形成装置は、回動可能に配設される像担持体と、この像担持体に対向配置され、この像担持体上のトナー像を記録材に静電転写する転写部材と、これら像担持体と転写部材との対向部より像担持体の移動方向下流側に配設され、通常時は像担持体から離間した位置で保持され、対向部を通過した記録材によって押圧された場合は像担持体に当接する位置まで揺動可能な揺動部材とを有している。
【０００８】
ここで、揺動部材は、所定の厚さを有する金属又は樹脂からなることを特徴とすることができる。また、揺動部材の像担持体に当接する部位は、所定の曲率を有していることを特徴とすることができ、また、揺動部材の自由端側には、回転可能なロール部材を設けることを特徴とすることができる。さらに、揺動部材には、像担持体表面から落下した粉体を受ける粉体溜めを設けることを特徴とすることができる。また、本発明の画像形成装置において、像担持体は、像形成担持体に形成担持されたトナー像が一次転写される中間転写ベルトであり、転写部材は、中間転写ベルトに一次転写されたトナー像を記録材に二次転写して搬送する転写搬送ベルトであることを特徴とすることができる。
【０００９】
また、他の観点から捉えると、本発明の画像形成装置は、回転可能に配設される像担持体と、この像担持体に対向配置され、この像担持体上のトナー像を記録材に静電転写する転写部材と、この像担持体と前記転写部材との対向部より像担持体の移動方向下流側で、移動方向と直交する方向に延設される軸部材と、一端がこの軸部材に揺動自在に取り付けられ、他端が像担持体の移動方向に対向する方向に向けて配置される板状部材とを含んでいる。この画像形成装置では、板状部材を像担持体から離間する方向に向けて付勢する付勢部材をさらに備えること、あるいは板状部材にトナー像を構成するトナーと同極性のバイアスを印加するバイアス印加機構をさらに備えることを特徴とすることができる。また、本発明の画像形成装置において、像担持体は複数のロールに張架された無端ベルト形状を有し、転写部材は複数のロールに張架された無端ベルト形状を有していることを特徴とすることができる。
【００１０】
【発明の実施の形態】
以下、添付図面を参照して、実施の形態について詳細に説明する。
―実施の形態１―
図１は実施の形態１に係る画像形成装置を示した図である。図１に示す画像形成装置は、所謂タンデム型、所謂中間転写方式の画像形成装置であって、電子写真方式にて各色成分のトナー像が形成される複数の画像形成ユニット１０（１０Ｙ，１０Ｍ，１０Ｃ，１０Ｋ）、各画像形成ユニット１０にて形成された各色成分トナー像を順次転写（一次転写）して保持させる像担持体としての中間転写ベルト１５、中間転写ベルト１５上に転写された重畳トナー画像を記録材（転写材）である用紙Ｐに一括転写（二次転写）させる二次転写部２０、二次転写された画像を用紙Ｐ上に定着させる定着部６０を備えている。また、各装置（各部）の動作を制御する制御部４０を有している。
【００１１】
本実施の形態において、各画像形成ユニット１０（１０Ｙ，１０Ｍ，１０Ｃ，１０Ｋ）は、矢印Ａ方向に回転する像形成担持体としての感光体ドラム１１の周囲に、これらの感光体ドラム１１が帯電される帯電器１２、感光体ドラム１１上に静電潜像が書込まれるレーザ露光器１３（図中露光ビームを符号Ｂｍで示す）、各色成分トナーが収容されて感光体ドラム１１上の静電潜像をトナーにより可視像化する現像装置１４、感光体ドラム１１上に形成された各色成分トナー像を中間転写ベルト１５に転写する一次転写ロール１６、感光体ドラム１１上の残留トナーが除去されるドラムクリーナ１７、などの電子写真用デバイスが順次配設されている。これらの画像形成ユニット１０は、中間転写ベルト１５の上流側から、イエロー（Ｙ色）、マゼンタ（Ｍ色）、シアン（Ｃ色）、黒（Ｋ色）の順に、略直線状に配置されている。
【００１２】
中間転写体（トナー像の担持体）である中間転写ベルト１５は、ポリイミドあるいはポリアミド等の樹脂にカーボンブラック等の導電剤を適当量含有させた無端ベルトであり、その体積抵抗率が１０６〜１０１４Ω・ｃｍとなるように形成されており、その厚みは例えば０．１ｍｍ程度のフィルム状の無端ベルトで構成されている。中間転写ベルト１５は、各種ロールによって図に示すＢ方向に所定の速度で循環駆動（回動）されている。この各種ロールとして、定速性に優れたモータ（図示せず）により駆動されて中間転写ベルト１５を循環駆動させる駆動ロール３１、各感光体ドラム１１の配列方向に沿って略直線状に延びる中間転写ベルト１５を支持する支持ロール３２、中間転写ベルト１５に対して一定の張力を与えると共に中間転写ベルト１５の蛇行を防止する補正ロールとして機能するテンションロール３３、二次転写部２０に設けられるバックアップロール２５、中間転写ベルト１５上の残留トナーを掻き取るクリーニング部に設けられるクリーニングバックアップロール３４を有している。
【００１３】
各感光体ドラム１１に対向し、略直線状に延びる中間転写ベルト１５の内側に設けられる各一次転写ロール１６には、トナーの帯電極性（本実施の形態では負極性）と逆極性（本実施の形態では正極性）の電圧が印加されるようになっている。これにより、各々の感光体ドラム１１上のトナー像が中間転写ベルト１５に順次、静電吸引され、中間転写ベルト１５上に重畳されたトナー像が形成されるようになっている。
【００１４】
二次転写部２０は、中間転写ベルト１５のトナー像担持面側に配置される転写部材としての二次転写搬送ベルト２１と、バックアップロール２５等とによって構成される。バックアップロール２５は、表面にカーボンを分散したＥＰＤＭとＮＢＲのブレンドゴムのチューブ、内部はＥＰＤＭゴムからなり、その表面抵抗率が７〜１０ｌｏｇΩ／□でロール径が２８ｍｍとなるように形成され、硬度は例えば７０°（アスカＣ）に設定される。このバックアップロール２５は、中間転写ベルト１５の裏面側に配置されて二次転写搬送ベルト２１の対向電極をなし、二次転写バイアスが安定的に印加される金属製の給電ロール２６が当接配置されている。本実施の形態では、給電ロール２６によりトナーの帯電極性と同極性（負極性）の二次転写バイアスが印加されるようになっている。
【００１５】
一方、二次転写搬送ベルト２１は、駆動ロール２２とアイドルロール２３とによって張架された、例えば体積抵抗率が１０６〜１０１０Ω・ｃｍの半導電性の無端ベルトである。駆動ロール２２は、二次転写搬送ベルト２１および中間転写ベルト１５を挟んでバックアップロール２５に圧接配置され、二次転写搬送ベルト２１上に搬送される用紙Ｐに二次転写を行う二次転写ロールとして機能している。
また、中間転写ベルト１５の二次転写部２０の下流側には、二次転写後の中間転写ベルト１５上の残留トナーや紙粉を除去し、中間転写ベルト１５の表面をクリーニングするベルトクリーナ３５が接離自在に設けられている。一方、イエローの画像形成ユニット１０Ｙの上流側には、各画像形成ユニット１０（１０Ｙ，１０Ｍ，１０Ｃ，１０Ｋ）における画像形成タイミングをとるための基準となる基準信号を発生する基準センサ（ホームポジションセンサ）４２が配置され、また、黒の画像形成ユニット１０Ｋの下流側には、画質調整を行うための画像濃度センサ４３が配設されている。この基準センサ４２は、中間転写ベルト１５の裏側に設けられた所定のマークを認識して基準信号を発生しており、この基準信号の認識に基づく制御部４０からの指示により、各画像形成ユニット１０（１０Ｙ，１０Ｍ，１０Ｃ，１０Ｋ）は画像形成を開始するように構成されている。
【００１６】
更に、本実施の形態では、用紙搬送系として、用紙Ｐを収容する用紙トレイ５０、この用紙トレイ５０に集積された用紙Ｐを所定のタイミングで取り出して搬送する給紙ロール５１、給紙ロール５１にて繰り出された用紙Ｐを搬送する搬送ロール５２、搬送ロール５２により搬送された用紙Ｐを二次転写部２０へと送り込む搬送シュート５３、二次転写搬送ベルト２１によって二次転写された後に搬送される用紙Ｐを定着部６０へと搬送する搬送ベルト５５を備えている。
【００１７】
また、二次転写部２０の用紙Ｐ出口側には、二次転写後の用紙Ｐが中間転写ベルト１５に貼り付いた状態でベルトクリーナ３５に突入するのを防止する突入防止部７０が配設されている。
【００１８】
次に、本実施の形態に係る画像形成装置の基本的な作像プロセスについて説明する。図示しない画像読取装置（ＩＩＴ）や図示しないパーソナルコンピュータ（ＰＣ）等から出力される画像データは、図１に示すような画像形成装置に入力される。画像形成装置では、図示しない画像処理装置（ＩＰＳ）にて所定の画像処理が施された後、画像形成ユニット１０等によって作像作業が実行される。画像処理装置（ＩＰＳ）では、入力された反射率データに対して、シェーディング補正、位置ズレ補正、明度／色空間変換、ガンマ補正、枠消しや色編集、移動編集等の各種画像編集等の所定の画像処理が施される。画像処理が施された画像データは、イエロー（Ｙ）、マゼンタ（Ｍ）、シアン（Ｃ）、黒（Ｋ）の４色の色材階調データに変換され、レーザ露光器１３に出力される。
【００１９】
レーザ露光器１３では、入力された色材階調データに応じて、例えば半導体レーザから出射された露光ビームＢｍを画像形成ユニット１０Ｙ，１０Ｍ，１０Ｃ，１０Ｋの各々の感光体ドラム１１に照射している。画像形成ユニット１０Ｙ，１０Ｍ，１０Ｃ，１０Ｋの感光体ドラム１１では、帯電器１２によって表面が帯電された後、このレーザ露光器１３によって表面が走査露光され、静電潜像が形成される。形成された静電潜像は、各々の画像形成ユニット１０Ｙ，１０Ｍ，１０Ｃ，１０Ｋにて、イエロー（Ｙ）、マゼンタ（Ｍ）、シアン（Ｃ）、黒（Ｋ）の各色のトナー像として現像される。
【００２０】
画像形成ユニット１０Ｙ，１０Ｍ，１０Ｃ，１０Ｋの感光体ドラム１１上に形成されたトナー像は、各感光体ドラム１１と中間転写ベルト１５とが当接する一次転写部にて、中間転写ベルト１５上に転写される。より具体的には、一次転写部において、一次転写ロール１６にて中間転写ベルト１５の基材に対しトナーの帯電極性と逆極性の電圧を付加され、未定着トナー像が中間転写ベルト１５の表面に順次重ね合わせられて一次転写が行われる。このようにして一次転写された未定着トナー像は、中間転写ベルト１５の回転に伴って二次転写部２０に搬送される。
【００２１】
一方、用紙搬送系では、画像形成のタイミングに合わせて給紙ロール５１が回転し、用紙トレイ５０から所定サイズの用紙Ｐが供給される。給紙ロール５１により供給された用紙Ｐは、搬送ロール５２により搬送され、搬送シュート５３を経て二次転写部２０に到達する。この二次転写部２０に到達する前に、用紙Ｐは一旦停止され、前述のようにしてトナー像が担持された中間転写ベルト１５の移動タイミングに合わせてレジストロール（図示せず）が回転することで、用紙Ｐの位置とトナー像の位置との位置合わせがなされる。
【００２２】
二次転写部２０では、半導電性の二次転写搬送ベルト２１および中間転写ベルト１５を介して、駆動ロール２２がバックアップロール２５に押圧される。このとき、タイミングを合わせて搬送された用紙Ｐは、中間転写ベルト１５と二次転写搬送ベルト２１との間に挟み込まれる。このとき、給電ロール２６にトナーの帯電極性と同極性の二次転写バイアスが印加されると、二次転写搬送ベルト２１に対向電極として転写電界が形成され、中間転写ベルト１５上に担持された未定着トナー像は、駆動ロール２２とバックアップロール２５とによって押圧される二次転写位置にて、用紙Ｐに静電転写される。
【００２３】
その後、トナー像が静電転写された用紙Ｐは、二次転写搬送ベルト２１によって中間転写ベルト１５から剥離された状態でそのまま搬送され、二次転写搬送ベルト２１の用紙搬送方向下流側に設けられた搬送ベルト５５まで搬送される。搬送ベルト５５では、定着部６０における最適な搬送速度に合わせて、用紙Ｐを定着部６０まで搬送する。定着部６０に搬送された用紙Ｐ上の未定着トナー像は、定着部６０によって熱および圧力で定着処理を受けることで用紙Ｐ上に定着され、定着画像が形成された用紙Ｐは、排出ロール（図示せず）によって装置の外部に排出される。一方、用紙Ｐへの転写が終了した後、中間転写ベルト１５上に残った残留トナーは、中間転写ベルト１５の回動に伴ってクリーニング部まで搬送され、クリーニングバックアップロール３４およびベルトクリーナ３５によって中間転写ベルト１５上から除去される。
【００２４】
次に、突入防止部７０について詳細に説明する。図２は、二次転写部２０および突入防止部７０の側面を拡大表示した図であり、図３は、図２のＩＩＩ方向から見た突入防止部７０の上面図である。なお、図３においては、中間転写ベルト１５を省略している。本実施の形態において、突入防止部７０は、図示しないフレームに取り付けるために中間転写ベルト１５の両側部に設けられたブラケット７１と、両端がそれぞれブラケット７１に取り付けられた基部７２と、基部７２の上面に配設された反射型のＰＯＢ（Ｐａｐｅｒ  Ｏｎ  Ｂｅｌｔ）センサ７３と、基部７２の先端部（二次転写部２０と対向する側）に取り付けられた軸部材としての軸７４と、この軸７４に揺動自在に取り付けられた揺動部材あるいは板状部材としてのストッパ７５（７５ａ〜７５ｃ）とを備えている。
【００２５】
ここで、ストッパ７５は、厚さ２ｍｍの金属または樹脂からなる板状の部材であり、その先端部（揺動端）は中間転写ベルト１５の移動方向に対向するように二次転写部２０に向かって配設されており、所定の曲率を有するラウンド形状を有している。また、ストッパ７５は、通常時は図２中において実線で示す位置に係止され、下側から押圧されることにより図２中において破線で示す位置まで揺動できるように構成されている。この基部７２の幅Ｗは、この画像形成装置で使用可能な最大サイズの用紙Ｐの紙幅よりも大きく設定されている。また、本実施の形態では、所謂サイドレジ方式を採用しているため、すべてのサイズの用紙Ｐが通るストッパ７５ａ側にＰＯＢセンサ７３が配設される。そして、ＰＯＢセンサ７３によって用紙Ｐが検知された場合には、制御部４０からの指示により画像形成動作が緊急停止され、用紙Ｐがベルトクリーナ３５に突入するのを防止できるようになっている。
【００２６】
次に、この突入防止部７０の動作について説明する。図４（ａ）は、通常時の状態、つまり、用紙Ｐが安定して搬送されている状態を示している。この状態では、用紙Ｐが二次転写搬送ベルト２１に吸着されながら搬送されるためストッパ７５には接触せず、ストッパ７５は通常の位置にある。
【００２７】
一方、図４（ｂ）は、用紙Ｐの先端が二次転写部２０から排出された時点で、定着部６０（図１参照）の異常（例えば定着部６０内における用紙ジャムの発生）により緊急停止が行われた異常発生時の状態を示している。このような緊急停止が行われた場合、定着部６０と同時に搬送ベルト５５（図１参照）、中間転写ベルト１５および二次転写搬送ベルト２１等も停止させればよいのであるが、現像装置１４（図１参照）を急停止すると感光体ドラム１１上にキャリアが現像されてしまい、感光体ドラム１１や中間転写ベルト１５にダメージを与えてしまうことになるため、中間転写ベルト１５は搬送ベルト５５が停止した後所定の時間が経過してから停止する。このため、用紙Ｐはその後端が持ち上がった状態で停止し、中折れ部Ｐｂが生じる。このとき、この中折れ部Ｐｂによってストッパ７５は押圧されて上方に向けて揺動し、その先端部が中間転写ベルト１５に当接した状態で停止する。したがって、この状態では、中間転写ベルト１５とストッパ７５との間に用紙Ｐが進入できなくなり、中折れした用紙Ｐがベルトクリーナ３５に突入するという事態は生じなくなる。なお、ジャムとなった用紙Ｐを除去すると、押圧されなくなったストッパ７５は、ストッパ７５の自重により通常の位置（図４（ａ）参照）へと戻る。
【００２８】
このように、本実施の形態に係る画像形成装置では、二次転写後の用紙Ｐが中間転写ベルト１５に貼り付いた状態でベルトクリーナ３５に突入できなくなる。その結果、ベルトクリーナ３５の破壊および中間転写ベルト１５におけるクリーニング不良の発生等を防止することができる。また、ストッパ７５として揺動自在に配設された板状の部材を用いるようにしているため、ストッパ７５が塑性変形することはなく、ストッパ７５によって中間転写ベルト１５が傷つけられるという事態を防止できる。さらに、本実施の形態では、ストッパ７５の先端部を丸く加工しているため、ストッパ７５によって中間転写ベルト１５を傷つけたり未転写トナーを削り落として機内汚れを招くといった事態を回避できる。これにより、中間転写ベルト１５に貼り付いた用紙Ｐを取り外す際にも、ストッパ７５によって中間転写ベルト１５が傷付けられるという事態は生じない。
【００２９】
なお、本実施の形態では、ストッパ７５の自重によってストッパ７５を通常の位置へと戻すようにしていたが、例えば図５に示すように、軸７４に巻き回すように付勢部材としてのトーションスプリング７６を配設し、その一端をブラケット７１に取り付けられた引っかけ部７１ａに、他端をストッパ７５に設けられた引っかけ部７５ｄにそれぞれ引っかけるように構成すれば、トーションスプリング７６のばね力によって強制的にストッパ７５を通常の位置へと戻すことが可能になる。但し、トーションスプリング７６のばね力は、中折れした用紙Ｐによる押圧力よりも小さく設定しておく必要がある。
【００３０】
また、図６に示すように、ストッパ７５にバイアス印加機構としてのバイアス電源７７を接続し、このバイアス電源７７によってトナーと同極性（本実施の形態では負極性）のバイアスを印加するように構成すれば、ストッパ７５が中間転写ベルト１５に当接した際に、この中間転写ベルト１５に付着したトナーの転移を抑制することが可能になる。
【００３１】
なお、本実施の形態では、像担持体としての中間転写ベルト１５を介して用紙Ｐにトナー像を転写するタイプの画像形成装置について説明を行ったが、これに限られるものではなく、感光体から直接用紙Ｐにトナー像を転写するタイプの画像形成装置に対しても同様に適用できる。なお、この場合は、無端ベルト状の感光体ベルトを使用する画像形成装置において特に有効である。
また、本実施の形態では、転写部材として二次転写搬送ベルト２１を用いた例について説明を行ったが、一般的な転写ロールを用いたものにも同様に適用して差し支えない。
【００３２】
―実施の形態２―
本実施の形態は、実施の形態１と略同様であるが、図７に示すように、ストッパ７８にトナーＴを貯留するトナー溜め（粉体受け）を設けるように構成したものである。なお、本実施の形態において、実施の形態１と同様のものについては、同じ符号を付してその詳細な説明を省略する。
このストッパ７８は、軸７４に揺動自在に取り付けられる軸受部７８ａと、軸受部７８ａに取り付けられる板状の平板部７８ｂと、平板部７８ｂの先端側に設けられ中間転写ベルト１５側に向かってカールする湾曲部７８ｃとを有している。これら平板部７８ｂおよび湾曲部７８ｃにより、中間転写ベルト１５から剥がれたトナーＴを受けるトナー溜めが形成される。
【００３３】
本実施の形態では、上述したようにストッパ７８を構成することで、実施の形態１と同様、異常発生時に用紙Ｐがベルトクリーナ３５に突入するのを防止できる。また、ストッパ７８の先端部に湾曲部７８ｃを設けているため、中間転写ベルト１５にストッパ７８が当接した場合にも中間転写ベルト１５を傷つけることがない。さらに、本実施の形態では、ストッパ７８が中間転写ベルト１５に当接した際に、中間転写ベルト１５から離脱したトナーＴをストッパ７８の上部側に溜めておくことが可能となるため、機内汚れの発生を防止することができる。
【００３４】
―実施の形態３―
本実施の形態は、実施の形態１と略同様であるが、図８に示すように、ストッパ７９の先端部にロール７９ｂを取り付けるようにしたものである。なお、本実施の形態において、実施の形態１と同様のものについては、同じ符号を付してその詳細な説明を省略する。
【００３５】
このストッパ７９は、軸７４に揺動自在に取り付けられる中空状のストッパ本体７９ａと、このストッパ本体７９ａの先端側に取り付けられるロール７９ｂと、ストッパ本体７９ａ内にロール７９ｂに接触するように配置されるスクレーパ７９ｃとを有している。このように本実施の形態では、ストッパ本体７９ａ内にトナー溜めが形成されることになる。
【００３６】
本実施の形態では、上述したようにストッパ７９を構成することで、実施の形態１と同様、異常発生時に用紙Ｐがベルトクリーナ３５に突入するのを防止できる。また、ストッパ７９の先端部にロール７９ｂを設けているため、中間転写ベルト１５にストッパ７９が当接した場合にも中間転写ベルト１５を傷つけることがない。さらに、本実施の形態では、ストッパ７９が中間転写ベルト１５に当接した際に、中間手転写ベルト１５から離脱しロール７９ｂに付着したトナーＴをスクレーパ７９ｃにより掻き取り、ストッパ本体７９ａ内に溜めておくことが可能となるため、機内汚れの発生も防止できる。
【００３７】
【発明の効果】
以上説明したように、本発明によれば、中折れした記録材が像担持体に貼り付いた状態で搬送されるのを抑制することができる。
【図面の簡単な説明】
【図１】実施の形態１に係る画像形成装置の概要を示す説明図である。
【図２】実施の形態１における二次転写部および突入防止部の側面図である。
【図３】図２に示す突入防止部の上面図である。
【図４】（ａ）は通常時、（ｂ）は異常発生時における突入防止部の動作を説明する図である。
【図５】実施の形態１の変形例における二次転写部および突入防止部の側面図である。
【図６】実施の形態１の他の変形例における二次転写部および突入防止部の側面図である。
【図７】実施の形態２における二次転写部および突入防止部の側面図である。
【図８】実施の形態３における二次転写部および突入防止部の側面図である。
【符号の説明】
１０…画像形成ユニット、１５…中間転写ベルト、２０…二次転写部、２１…二次転写搬送ベルト、２２…駆動ロール、２３…アイドルロール、２５…バックアップロール、２６…給電ロール、３１…駆動ロール、３２…支持ロール、３３…テンションロール、３４…クリーニングバックアップロール、３５…ベルトクリーナ、４０…制御部、５０…用紙トレイ、６０…定着部、７０…突入防止部、７１…ブラケット、７１ａ…引っかけ部、７２…基部、７３…ＰＯＢセンサ、７４…軸、７５…ストッパ、７５ｄ…引っかけ部、７６…トーションスプリング、７７…バイアス電源、７８…ストッパ、７８ａ…軸受部、７８ｂ…平板部、７８ｃ…湾曲部、７９…ストッパ、７９ａ…ストッパ本体、７９ｂ…ロール、７９ｃ…スクレーパ、Ｐ…用紙、Ｔ…トナー
【図１】
2004252317.tif 000003
【図２】
2004252317.tif 000004
【図３】
2004252317.tif 000005
【図４】
2004252317.tif 000006
【図５】
2004252317.tif 000007
【図６】
2004252317.tif 000008
【図７】
2004252317.tif 000009
【図８】
2004252317.tif 000010